(57)【要約】【課題】  マルチキャストサービス及びマルチキャストグループに属する移動局の相対的な受信状況に応じて再送制御を行い、スループットの低下及び遅延の増加を回避可能な無線基地局装置を提供する。【解決手段】  ＡＣＫ／ＮＡＣＫ受信部１１は移動局から報告されるＡＣＫ／ＮＡＣＫを受信してそれらの復号処理を行い、復号後のＡＣＫ／ＮＡＣＫを該当グループのＨＡＲＱ  Ｐｒｏｃｅｓｓ＃のＡＣＫ／ＮＡＣＫ集計部１３に報告する。ＡＣＫ／ＮＡＣＫ集計部１３は再送指数モード制御部１４から指定されるモードに従って再送指数の算出を行い、再送指数の算出結果を閾値判定部１７へ報告する。閾値判定部１７はＡＣＫ／ＮＡＣＫ集計部１３からの再送指数と閾値テーブル１６からの閾値とを比較し、その判定結果を再送判定部１８に報告する。再送判定部１８はその判定結果に従ってスケジューラ１９に再送要求を行う。【選択図】      図１
2007166233.tif 000002
【特許請求の範囲】
【請求項１】
ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を使用して複数の移動局に対してマルチキャスト送信を行う無線基地局装置を含む移動体通信システムであって、
前記無線基地局装置は、外部から指定されるモードにしたがって全ての送信回数に対する再送回数の割合を示す再送指数の算出を行う算出手段と、前記算出手段の算出結果を予め設定された閾値と比較して前記マルチキャスト送信の再送の可否判定を行う判定手段とを有することを特徴とする移動体通信システム。
【請求項２】
前記算出手段は、外部からＡＣＫ（ＡＣＫｎｏｗｌｅｄｇｅｍｅｎｔ）／ＮＡＣＫ（Ｎｏｎ−ＡＣＫｎｏｗｌｅｄｇｅｍｅｎｔ）比が指定された時に前記移動局からのＮＡＣＫ受信数とＡＣＫ受信数との比率を求め、外部から前記再送指数の算出が指定された時に前記移動局からＡＣＫ（ＡＣＫｎｏｗｌｅｄｇｅｍｅｎｔ）を受信した場合に＋Ａ（Ａは１以上の整数）、ＮＡＣＫ（Ｎｏｎ−ＡＣＫｎｏｗｌｅｄｇｅｍｅｎｔ）を受信した場合に−Ｂ（Ｂは１以上の整数）として前記再送指数を求めることを特徴とする請求項１記載の移動体通信システム。
【請求項３】
ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を使用して複数の移動局に対してマルチキャスト送信を行う無線基地局装置を含む移動体通信システムであって、
前記無線基地局装置は、前記移動局からのＮＡＣＫ（Ｎｏｎ−ＡＣＫｎｏｗｌｅｄｇｅｍｅｎｔ）受信数とＡＣＫ（ＡＣＫｎｏｗｌｅｄｇｅｍｅｎｔ）受信数との比率を求める算出手段と、前記算出手段の算出結果を予め設定された閾値と比較して前記マルチキャスト送信の再送の可否判定を行う判定手段とを有することを特徴とする移動体通信システム。
【請求項４】
ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を使用して複数の移動局に対してマルチキャスト送信を行う無線基地局装置を含む移動体通信システムであって、
前記無線基地局装置は、前記移動局からＡＣＫ（ＡＣＫｎｏｗｌｅｄｇｅｍｅｎｔ）を受信した場合に＋Ａ（Ａは１以上の整数）、ＮＡＣＫ（Ｎｏｎ−ＡＣＫｎｏｗｌｅｄｇｅｍｅｎｔ）を受信した場合に−Ｂ（Ｂは１以上の整数）として全ての送信回数に対する再送回数の割合を示す再送指数を求める算出手段と、前記算出手段の算出結果を予め設定された閾値と比較して前記マルチキャスト送信の再送の可否判定を行う判定手段とを有することを特徴とする移動体通信システム。
【請求項５】
前記閾値を前記マルチキャスト送信の再送回数を引数とした再送閾値テーブルから求めることを特徴とする請求項１から請求項４のいずれか記載の移動体通信システム。
【請求項６】
ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を使用して複数の移動局に対してマルチキャスト送信を行う無線基地局装置であって、
外部から指定されるモードにしたがって全ての送信回数に対する再送回数の割合を示す再送指数の算出を行う算出手段と、前記算出手段の算出結果を予め設定された閾値と比較して前記マルチキャスト送信の再送の可否判定を行う判定手段とを有することを特徴とする無線基地局装置。
【請求項７】
前記算出手段は、外部からＡＣＫ（ＡＣＫｎｏｗｌｅｄｇｅｍｅｎｔ）／ＮＡＣＫ（Ｎｏｎ−ＡＣＫｎｏｗｌｅｄｇｅｍｅｎｔ）比が指定された時に前記移動局からのＮＡＣＫ受信数とＡＣＫ受信数との比率を求め、外部から前記再送指数の算出が指定された時に前記移動局からＡＣＫ（ＡＣＫｎｏｗｌｅｄｇｅｍｅｎｔ）を受信した場合に＋Ａ（Ａは１以上の整数）、ＮＡＣＫ（Ｎｏｎ−ＡＣＫｎｏｗｌｅｄｇｅｍｅｎｔ）を受信した場合に−Ｂ（Ｂは１以上の整数）として前記再送指数を求めることを特徴とする請求項６記載の無線基地局装置。
【請求項８】
ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を使用して複数の移動局に対してマルチキャスト送信を行う無線基地局装置であって、
前記移動局からのＮＡＣＫ（Ｎｏｎ−ＡＣＫｎｏｗｌｅｄｇｅｍｅｎｔ）受信数とＡＣＫ（ＡＣＫｎｏｗｌｅｄｇｅｍｅｎｔ）受信数との比率を求める算出手段と、前記算出手段の算出結果を予め設定された閾値と比較して前記マルチキャスト送信の再送の可否判定を行う判定手段とを有することを特徴とする無線基地局装置。
【請求項９】
ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を使用して複数の移動局に対してマルチキャスト送信を行う無線基地局装置であって、
前記移動局からＡＣＫ（ＡＣＫｎｏｗｌｅｄｇｅｍｅｎｔ）を受信した場合に＋Ａ（Ａは１以上の整数）、ＮＡＣＫ（Ｎｏｎ−ＡＣＫｎｏｗｌｅｄｇｅｍｅｎｔ）を受信した場合に−Ｂ（Ｂは１以上の整数）として全ての送信回数に対する再送回数の割合を示す再送指数を求める算出手段と、前記算出手段の算出結果を予め設定された閾値と比較して前記マルチキャスト送信の再送の可否判定を行う判定手段とを有することを特徴とする無線基地局装置。
【請求項１０】
前記閾値を前記マルチキャスト送信の再送回数を引数とした再送閾値テーブルから求めることを特徴とする請求項６から請求項９のいずれか記載の無線基地局装置。
【請求項１１】
ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を使用して複数の移動局に対してマルチキャスト送信を行う無線基地局装置に用いるマルチキャスト再送制御方法であって、
前記無線基地局装置が、外部から指定されるモードにしたがって全ての送信回数に対する再送回数の割合を示す再送指数の算出を行う算出処理と、前記算出処理の算出結果を予め設定された閾値と比較して前記マルチキャスト送信の再送の可否判定を行う判定処理とを実行することを特徴とするマルチキャスト再送制御方法。
【請求項１２】
前記算出処理は、外部からＡＣＫ（ＡＣＫｎｏｗｌｅｄｇｅｍｅｎｔ）／ＮＡＣＫ（Ｎｏｎ−ＡＣＫｎｏｗｌｅｄｇｅｍｅｎｔ）比が指定された時に前記移動局からのＮＡＣＫ受信数とＡＣＫ受信数との比率を求め、外部から前記再送指数の算出が指定された時に前記移動局からＡＣＫ（ＡＣＫｎｏｗｌｅｄｇｅｍｅｎｔ）を受信した場合に＋Ａ（Ａは１以上の整数）、ＮＡＣＫ（Ｎｏｎ−ＡＣＫｎｏｗｌｅｄｇｅｍｅｎｔ）を受信した場合に−Ｂ（Ｂは１以上の整数）として前記再送指数を求めることを特徴とする請求項１１記載のマルチキャスト再送制御方法。
【請求項１３】
ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を使用して複数の移動局に対してマルチキャスト送信を行う無線基地局装置に用いるマルチキャスト再送制御方法であって、
前記無線基地局装置が、前記移動局からのＮＡＣＫ（Ｎｏｎ−ＡＣＫｎｏｗｌｅｄｇｅｍｅｎｔ）受信数とＡＣＫ（ＡＣＫｎｏｗｌｅｄｇｅｍｅｎｔ）受信数との比率を求める算出処理と、前記算出処理の算出結果を予め設定された閾値と比較して前記マルチキャスト送信の再送の可否判定を行う判定処理とを実行することを特徴とするマルチキャスト再送制御方法。
【請求項１４】
ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を使用して複数の移動局に対してマルチキャスト送信を行う無線基地局装置に用いるマルチキャスト再送制御方法であって、
前記無線基地局装置が、前記移動局からＡＣＫ（ＡＣＫｎｏｗｌｅｄｇｅｍｅｎｔ）を受信した場合に＋Ａ（Ａは１以上の整数）、ＮＡＣＫ（Ｎｏｎ−ＡＣＫｎｏｗｌｅｄｇｅｍｅｎｔ）を受信した場合に−Ｂ（Ｂは１以上の整数）として全ての送信回数に対する再送回数の割合を示す再送指数を求める算出処理と、前記算出処理の算出結果を予め設定された閾値と比較して前記マルチキャスト送信の再送の可否判定を行う判定処理とを実行することを特徴とするマルチキャスト再送制御方法。
【請求項１５】
前記閾値を前記マルチキャスト送信の再送回数を引数とした再送閾値テーブルから求めることを特徴とする請求項１１または請求項１４のいずれか記載のマルチキャスト再送制御方法。
【発明の詳細な説明】
【技術分野】
【０００１】
本発明は移動体通信システム、無線基地局装置及びそれらに用いるマルチキャスト再送制御方法に関し、特にＨＳＤＰＡ（Ｈｉｇｈ  Ｓｐｅｅｄ  Ｄｏｗｎｌｉｎｋ  Ｐａｃｋｅｔ  Ａｃｃｅｓｓ）を使用したマルチキャストにおける再送制御方法に関する。
【背景技術】
【０００２】
近年、３ＧＰＰ（３ｒｄ  Ｇｅｎｅｒａｔｉｏｎ  Ｐａｒｔｎｅｒｓｈｉｐ  Ｐｒｏｊｅｃｔ）仕様に準拠した移動体通信システムが次々と実用化されている。リリース６（Ｒｅｌ．６）において標準化されたＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）は、複数の移動局に同一のデータを送信する際、無線基地局装置（Ｎｏｄｅ  Ｂ）内の無線リソースを複数の移動局で同時に共有できる技術であり、今後、実用化される可能性が十分ある（例えば、非特許文献１，２参照）。
【０００３】
また、既にリリース５（Ｒｅｌ．５）において標準化されたＨＳＤＰＡは、下り無線リンクのパケットサービスの高速化技術として、実用化されつつある。今後、ＭＢＭＳが実用化される場合、ＨＳＰＤＡとシステム内で共存し、無線基地局装置内の同じ無線リソースを共有して提供される可能性が高い。
【０００４】
さらに、今後、３ＧＰＰにおいて、次期ＭＢＭＳ（リリース６のＭＢＭＳを高度化したもの）と、次期ＨＳＤＰＡ（リリース５のＨＳＤＰＡを高度化したもの）とが標準化されつつあり、これらがシステム内で共存し、無線基地局装置内の同じ無線リソースを共有して提供される可能性が高い。
【０００５】
一方、従来の移動体通信システムでは、ＭＢＭＳとＨＳＤＰＡの無線リソース共有システムの一例として、ＨＳＤＰＡを使用したマルチメディアのマルチキャストサービス方法が提案されている（例えば、特許文献１参照）。
【０００６】
リリース６ではＭＢＭＳの下り物理チャネルとして、Ｓ−ＣＣＰＣＨ（Ｓｅｃｏｎｄａｒｙ−Ｃｏｍｍｏｎ  Ｃｏｎｔｒｏｌ  Ｐｈｙｓｉｃａｌ  Ｃｈａｎｎｅｌ）を使用しているが、将来、データ量が増加することを考慮すれば、上記のマルチキャストサービス方法のようにＨＳＤＰＡを使用することが望ましい。
【０００７】
上記のマルチキャストサービス方法では、ＨＳＤＰＡにおいて移動局を識別するためのＩＤ（ＩＤｅｎｔｉｆｉｅｒ）であるＨ−ＲＮＴＩ［ＨＳ−ＤＳＣＨ（Ｈｉｇｈ  Ｓｐｅｅｄ−Ｄｏｗｎｌｉｎｋ  Ｓｈａｒｅｄ  ＣＨａｎｎｅｌ）  Ｒａｄｉｏ  Ｎｅｔｗｏｒｋ  Ｉｄｅｎｔｉｆｉｅｒ］を、マルチキャストサービスを要求する移動局に対して同一のＩＤ（グループＩＤ）を設定することで、容易に実現可能である。
【０００８】
図４にグループＩＤを使用したマルチキャストのシステム構成を示す。図４において、無線基地局装置１０４はＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）を用いてマルチキャストデータを複数の移動局（Ａ〜Ｃ）１０１〜１０３に送信し、移動局（Ａ〜Ｃ）１０１〜１０３は受信したマルチキャストデータの復号結果［ＡＣＫ（ＡＣＫｎｏｗｌｅｄｇｅｍｅｎｔ）／ＮＡＣＫ（Ｎｏｎ−ＡＣＫｎｏｗｌｅｄｇｅｍｅｎｔ）］をＨＳ−ＤＰＣＣＨ（Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）を用いて無線基地局装置１０４に送信している。
【０００９】
【特許文献１】特開２００５−６５２５６号公報
【非特許文献１】“Ｍｅｄｉｕｍ  Ａｃｃｅｓｓ  Ｃｏｎｔｒｏｌ（ＭＡＣ）  ｐｒｏｔｏｃｏｌ  ｓｐｅｃｉｆｉｃａｔｉｏｎ（Ｒｅｌｅａｓｅ６）”（３ＧＰＰ  ＴＳ２５．３２１  Ｖ６．５．０  ２００５−０６）
【非特許文献２】“Ｉｎｔｒｏｄｕｃｔｉｏｎ  ｏｆ  ｔｈｅ  Ｍｕｌｔｉｍｅｄｉａ  Ｂｒｏａｄｃａｓｔ  Ｍｕｌｔｉｃａｓｔ  Ｓｅｒｖｉｃｅ（ＭＢＭＳ）  ｉｎ  ｔｈｅ  Ｒａｄｉｏ  Ａｃｃｅｓｓ  Ｎｅｔｗｏｒｋ（ＲＡＮ）；Ｓｔａｇｅ２（Ｒｅｌｅａｓｅ６）”（３ＧＰＰ  ＴＳ２５．３４６  Ｖ６．５．０  ２００５−０６）
【発明の開示】
【発明が解決しようとする課題】
【００１０】
しかしながら、上述したグループＩＤによる方法では、複数の移動局から報告される異なる復号結果に対する再送制御方法に関して十分な検討が必要である。再送を行わないという方法もあるが、その場合には、ＨＳＤＰＡの特徴であるＨＡＲＱ（Ｈｙｂｒｉｄ−Ａｕｔｏｍａｔｉｃ  Ｒｅｐｅａｔ  Ｒｅｑｕｅｓｔ）のパフォーマンスを十分に活かすことができない。
【００１１】
一方、一部の無線品質の悪い移動局のために再送を繰り返すことは、スループットの低下、及び遅延の増加を招き、リアルタイム性の強いサービスにとっては致命的となってしまう。上記の問題を解決するためには、マルチキャストグループに属する移動局の相対的な状況に応じて適応的に再送制御を行う必要がある。
【００１２】
そこで、本発明の目的は上記の問題点を解消し、マルチキャストサービス及びマルチキャストグループに属する移動局の相対的な受信状況に応じて再送制御を行うことができ、スループットの低下及び遅延の増加を回避することができる移動体通信システム、無線基地局装置及びそれらに用いるマルチキャスト再送制御方法を提供することにある。
【課題を解決するための手段】
【００１３】
本発明による移動体通信システムは、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を使用して複数の移動局に対してマルチキャスト送信を行う無線基地局装置を含む移動体通信システムであって、
前記無線基地局装置は、外部から指定されるモードにしたがって全ての送信回数に対する再送回数の割合を示す再送指数の算出を行う算出手段と、前記算出手段の算出結果を予め設定された閾値と比較して前記マルチキャスト送信の再送の可否判定を行う判定手段とを備えている。
【００１４】
本発明による他の移動体通信システムは、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を使用して複数の移動局に対してマルチキャスト送信を行う無線基地局装置を含む移動体通信システムであって、
前記無線基地局装置は、前記移動局からのＮＡＣＫ（Ｎｏｎ−ＡＣＫｎｏｗｌｅｄｇｅｍｅｎｔ）受信数とＡＣＫ（ＡＣＫｎｏｗｌｅｄｇｅｍｅｎｔ）受信数との比率を求める算出手段と、前記算出手段の算出結果を予め設定された閾値と比較して前記マルチキャスト送信の再送の可否判定を行う判定手段とを備えている。
【００１５】
本発明による別の移動体通信システムは、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を使用して複数の移動局に対してマルチキャスト送信を行う無線基地局装置を含む移動体通信システムであって、
前記無線基地局装置は、前記移動局からＡＣＫ（ＡＣＫｎｏｗｌｅｄｇｅｍｅｎｔ）を受信した場合に＋Ａ（Ａは１以上の整数）、ＮＡＣＫ（Ｎｏｎ−ＡＣＫｎｏｗｌｅｄｇｅｍｅｎｔ）を受信した場合に−Ｂ（Ｂは１以上の整数）として全ての送信回数に対する再送回数の割合を示す再送指数を求める算出手段と、前記算出手段の算出結果を予め設定された閾値と比較して前記マルチキャスト送信の再送の可否判定を行う判定手段とを備えている。
【００１６】
本発明による無線基地局装置は、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を使用して複数の移動局に対してマルチキャスト送信を行う無線基地局装置であって、
外部から指定されるモードにしたがって全ての送信回数に対する再送回数の割合を示す再送指数の算出を行う算出手段と、前記算出手段の算出結果を予め設定された閾値と比較して前記マルチキャスト送信の再送の可否判定を行う判定手段とを備えている。
【００１７】
本発明による他の無線基地局装置は、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を使用して複数の移動局に対してマルチキャスト送信を行う無線基地局装置であって、
前記移動局からのＮＡＣＫ（Ｎｏｎ−ＡＣＫｎｏｗｌｅｄｇｅｍｅｎｔ）受信数とＡＣＫ（ＡＣＫｎｏｗｌｅｄｇｅｍｅｎｔ）受信数との比率を求める算出手段と、前記算出手段の算出結果を予め設定された閾値と比較して前記マルチキャスト送信の再送の可否判定を行う判定手段とを備えている。
【００１８】
本発明による別の無線基地局装置は、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を使用して複数の移動局に対してマルチキャスト送信を行う無線基地局装置であって、
前記移動局からＡＣＫ（ＡＣＫｎｏｗｌｅｄｇｅｍｅｎｔ）を受信した場合に＋Ａ（Ａは１以上の整数）、ＮＡＣＫ（Ｎｏｎ−ＡＣＫｎｏｗｌｅｄｇｅｍｅｎｔ）を受信した場合に−Ｂ（Ｂは１以上の整数）として全ての送信回数に対する再送回数の割合を示す再送指数を求める算出手段と、前記算出手段の算出結果を予め設定された閾値と比較して前記マルチキャスト送信の再送の可否判定を行う判定手段とを備えている。
【００１９】
本発明によるマルチキャスト再送制御方法は、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を使用して複数の移動局に対してマルチキャスト送信を行う無線基地局装置に用いるマルチキャスト再送制御方法であって、
前記無線基地局装置が、外部から指定されるモードにしたがって全ての送信回数に対する再送回数の割合を示す再送指数の算出を行う算出処理と、前記算出処理の算出結果を予め設定された閾値と比較して前記マルチキャスト送信の再送の可否判定を行う判定処理とを実行している。
【００２０】
本発明による他のマルチキャスト再送制御方法は、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を使用して複数の移動局に対してマルチキャスト送信を行う無線基地局装置に用いるマルチキャスト再送制御方法であって、
前記無線基地局装置が、前記移動局からのＮＡＣＫ（Ｎｏｎ−ＡＣＫｎｏｗｌｅｄｇｅｍｅｎｔ）受信数とＡＣＫ（ＡＣＫｎｏｗｌｅｄｇｅｍｅｎｔ）受信数との比率を求める算出処理と、前記算出処理の算出結果を予め設定された閾値と比較して前記マルチキャスト送信の再送の可否判定を行う判定処理とを実行している。
【００２１】
本発明による別のマルチキャスト再送制御方法は、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を使用して複数の移動局に対してマルチキャスト送信を行う無線基地局装置に用いるマルチキャスト再送制御方法であって、
前記無線基地局装置が、前記移動局からＡＣＫ（ＡＣＫｎｏｗｌｅｄｇｅｍｅｎｔ）を受信した場合に＋Ａ（Ａは１以上の整数）、ＮＡＣＫ（Ｎｏｎ−ＡＣＫｎｏｗｌｅｄｇｅｍｅｎｔ）を受信した場合に−Ｂ（Ｂは１以上の整数）として全ての送信回数に対する再送回数の割合を示す再送指数を求める算出処理と、前記算出処理の算出結果を予め設定された閾値と比較して前記マルチキャスト送信の再送の可否判定を行う判定処理とを実行している。
【００２２】
すなわち、本発明のマルチキャスト再送制御方法は、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を使用して複数の移動局に対してマルチキャスト送信を行う無線基地局装置において、移動局からのＮＡＣＫ（Ｎｏｎ−ＡＣＫｎｏｗｌｅｄｇｅｍｅｎｔ）受信数とＡＣＫ（ＡＣＫｎｏｗｌｅｄｇｅｍｅｎｔ）受信数との比率を求め、求めた比率と閾値とを比較し、マルチキャスト送信の再送可否判定を行っている。
【００２３】
また、本発明の他のマルチキャスト再送制御方法は、ＨＳＤＰＡを使用して複数の移動局に対してマルチキャスト送信を行う無線基地局装置において、移動局からＡＣＫを受信した場合に＋Ａ（Ａは１以上の整数）、ＮＡＣＫを受信した場合に−Ｂ（Ｂは１以上の整数）として、全ての送信回数に対する再送回数の割合を示す再送指数を求め、求めた再送指数と閾値とを比較し、マルチキャスト送信の再送可否判定を行っている。この場合、Ａ，Ｂは外部から指定可能なパラメータであり、このパラメータによって重み付けを行っている。
【００２４】
さらに、本発明の別のマルチキャスト再送制御方法は、ＨＳＤＰＡを使用して複数の移動局に対してマルチキャスト送信を行う無線基地局装置において、上記の閾値を、再送回数を引数とした再送閾値テーブルによって求める処理を含んでいる。
【００２５】
上記のように、本発明のマルチキャスト再送制御方法では、複数の移動局のＡＣＫ／ＮＡＣＫの受信状況に応じてマルチキャスト送信を再送するか否かを判断し、その判断結果に応じてマルチキャスト送信の再送を実施することが可能となる。その際、本発明のマルチキャスト再送制御方法では、再送閾値テーブルを用いることで、再送回数に応じて閾値を変えることが可能となり、さらなる適応的な再送制御を可能としている。
【００２６】
上記のように、本発明のマルチキャスト再送制御方法では、マルチキャストサービス及びマルチキャストグループに属する移動局の相対的な受信状況に応じて再送制御を行うことが可能となり、スループットの低下及び遅延の増加を回避することが可能となる。
【発明の効果】
【００２７】
本発明は、上記のような構成及び動作とすることで、マルチキャストサービス及びマルチキャストグループに属する移動局の相対的な受信状況に応じて再送制御を行うことができ、スループットの低下及び遅延の増加を回避することができるという効果が得られる。
【発明を実施するための最良の形態】
【００２８】
次に、本発明の実施例について図面を参照して説明する。図１は本発明の一実施例による無線基地局装置の構成を示すブロック図である。図１において、本発明の一実施例による無線基地局装置１はＨＳＤＰＡ（Ｈｉｇｈ  Ｓｐｅｅｄ  Ｄｏｗｎｌｉｎｋ  Ｐａｃｋｅｔ  Ａｃｃｅｓｓ）を使用して複数の移動局（図示せず）に対してマルチキャスト送信を行い、ＡＣＫ（ＡＣＫｎｏｗｌｅｄｇｅｍｅｎｔ）／ＮＡＣＫ（Ｎｏｎ−ＡＣＫｎｏｗｌｅｄｇｅｍｅｎｔ）受信部１１と、送信履歴管理部１２と、ＡＣＫ／ＮＡＣＫ集計部１３と、再送指数モード制御部１４と、再送回数管理部１５と、閾値テーブル１６と、閾値判定部１７と、再送判定部１８と、スケジューラ１９とから構成されている。
【００２９】
ＡＣＫ／ＮＡＣＫ集計部１３、再送回数管理部１５、閾値判定部１７、再送判定部１８はそれぞれＨＡＲＱ（Ｈｙｂｒｉｄ−Ａｕｔｏｍａｔｉｃ  Ｒｅｐｅａｔ  Ｒｅｑｕｅｓｔ）  Ｐｒｏｃｅｓｓ＃ｎ，＃ｎ＋１，＃ｎ＋２，・・・毎に設けられている。また、ＡＣＫ／ＮＡＣＫ集計部１３、再送指数モード制御部１４、再送回数管理部１５、閾値テーブル１６、閾値判定部１７、再送判定部１８はグループ＃ｍ，・・・毎に設けられている。
【００３０】
ＡＣＫ／ＮＡＣＫ受信部１１は移動局から報告されるＡＣＫ／ＮＡＣＫを受信し、受信したＡＣＫ／ＮＡＣＫの復号処理を行う。また、ＡＣＫ／ＮＡＣＫ受信部１１は送信履歴管理部１２が管理している送信履歴から受信したＡＣＫ／ＮＡＣＫが該当するマルチキャストグループとそのＨＡＲＱ  Ｐｒｏｃｅｓｓ＃とを判断し、復号後のＡＣＫ／ＮＡＣＫを該当グループのＨＡＲＱ  Ｐｒｏｃｅｓｓ＃のＡＣＫ／ＮＡＣＫ集計部１３に報告する。
【００３１】
ＡＣＫ／ＮＡＣＫ集計部１３は再送指数モード制御部１４から指定されるモードに従って、全ての送信回数に対する再送回数の割合を示す再送指数の算出を行う。この場合、ＡＣＫ／ＮＡＣＫ集計部１３は再送指数モード制御部１４から指定されるモードがＡＣＫ／ＮＡＣＫ比であれば、ＡＣＫ受信数、ＮＡＣＫ受信数を累計し、ＡＣＫ／ＮＡＣＫ比を算出する。また、ＡＣＫ／ＮＡＣＫ集計部１３は再送指数モード制御部１４から指定されるモードが再送指数計算であれば、移動局からＡＣＫを受信した場合に＋Ａ（Ａは１以上の整数）、ＮＡＣＫを受信した場合に−Ｂ（Ｂは１以上の整数）として再送指数を求める。
【００３２】
再送回数管理部１５は無線基地局装置１から移動局へのマルチキャスト送信の再送回数を管理する。閾値テーブル１６には再送回数を引数としてそれに対応する閾値が予め格納されており、再送回数管理部１５から報告される再送回数に基づいた閾値を閾値判定部１７に報告する。閾値判定部１７はＡＣＫ／ＮＡＣＫ集計部１３から報告された再送指数と閾値テーブル１６からの閾値とを比較し、その判定結果を再送判定部１８に報告する。
【００３３】
再送判定部１８は閾値判定部１７の判定結果が「再送ＯＫ」だった場合、スケジューラ１９に対して再送要求を行い、閾値判定部１７の判定結果が「再送ＮＧ」だった場合、ＨＡＲＱ  Ｐｒｏｃｅｓｓで保持している送信データの破棄を行い、スケジューラ１９に対して新規送信要求を行う。
【００３４】
図２及び図３は本発明の一実施例による無線基地局装置１の再送制御判定処理を示すフローチャートである。これら図１〜図３を参照して本発明の一実施例による無線基地局装置１の再送制御判定処理について説明する。尚、本発明の一実施例による無線基地局装置１は、従来と同様に、図４に示すように、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を使用して複数の移動局に対してマルチキャスト送信を行っている。
【００３５】
ＡＣＫ／ＮＡＣＫ受信部１１は移動局から報告されるＡＣＫ／ＮＡＣＫを受信し（図２ステップＳ１）、受信したＡＣＫ／ＮＡＣＫの復号処理を行う（図２ステップＳ２）。また、ＡＣＫ／ＮＡＣＫ受信部１１は送信履歴管理部１２が管理している送信履歴から受信したＡＣＫ／ＮＡＣＫが該当するマルチキャストグループとそのＨＡＲＱ  Ｐｒｏｃｅｓｓ＃とを判断し（図２ステップＳ３）、復号後のＡＣＫ／ＮＡＣＫを該当グループのＨＡＲＱ  Ｐｒｏｃｅｓｓ＃のＡＣＫ／ＮＡＣＫ集計部１３に報告する（図２ステップＳ４）。
【００３６】
ＡＣＫ／ＮＡＣＫ集計部１３は再送指数モード制御部１４から指定されるモードに従って（図２ステップＳ５）、再送指数の算出を行う（図２ステップＳ６，Ｓ７）。つまり、ＡＣＫ／ＮＡＣＫ集計部１３は再送指数モード制御部１４から指定されるモードがＡＣＫ／ＮＡＣＫ比の場合（図２ステップＳ５）、ＡＣＫ受信数、ＮＡＣＫ受信数を累計し、ＡＣＫ／ＮＡＣＫ比を算出する（図２ステップＳ６）。この場合、ＡＣＫ／ＮＡＣＫ比は、
ＡＣＫ／ＮＡＣＫ比
＝ＮＡＣＫ受信数／（ＡＣＫ受信数＋ＮＡＣＫ受信数）
という式によって算出される。
【００３７】
また、ＡＣＫ／ＮＡＣＫ集計部１３は再送指数モード制御部１４から指定されるモードが再送指数計算の場合（図２ステップＳ５）、移動局からＡＣＫを受信した場合に＋Ａ（Ａは１以上の整数）、ＮＡＣＫを受信した場合に−Ｂ（Ｂは１以上の整数）として再送指数を求める（図２ステップＳ７）。
【００３８】
無線基地局装置１は上記のステップＳ１〜Ｓ７の処理を全ての移動局（マルチキャスト送信を行っている複数の移動局全て）に関して行い（図２ステップＳ１〜Ｓ８）、ＡＣＫ／ＮＡＣＫ集計部１３は再送指数の算出結果を閾値判定部１７へ報告する。
【００３９】
閾値テーブル１６からは再送回数管理部１５から報告される再送回数に基づいた閾値が閾値判定部１７に報告される（図３ステップＳ９）。閾値判定部１７は、ＡＣＫ／ＮＡＣＫ集計部１３から報告された再送指数と閾値テーブル１６からの閾値とを比較し、その判定結果を再送判定部１８に報告する（図３ステップＳ１０）。
【００４０】
再送判定部１８は閾値判定部１７の判定結果が「再送ＯＫ」だった場合（図３ステップＳ１１）、スケジューラ１９に対して再送要求を行う（図３ステップＳ１２）。また、再送判定部１８は閾値判定部１７の判定結果が「再送ＮＧ」だった場合（図３ステップＳ１１）、ＨＡＲＱ  Ｐｒｏｃｅｓｓで保持している送信データの破棄を行い、スケジューラ１９に対して新規送信要求を行う（図３ステップＳ１３）。
【００４１】
上記のように、本実施例では、マルチキャストグループに属する移動局の相対的な受信状況によって適応的に再送制御を行うことができる。また、本実施例では、閾値テーブル１６を用いることで、例えば一部の無線品質の悪い移動局に対して最低でも１回は再送する、といった処理も可能であり、マルチキャストサービスに応じて再送制御を変えることも容易に実現することができる。
【００４２】
このように、本実施例では、マルチキャストサービス及びマルチキャストグループに属する移動局の相対的な受信状況に応じて再送制御を行うことができ、スループットの低下及び遅延の増加を回避することができる。
【図面の簡単な説明】
【００４３】
【図１】本発明の一実施例による無線基地局装置の構成を示すブロック図である。
【図２】本発明の一実施例による無線基地局装置の再送制御判定処理を示すフローチャートである。
【図３】本発明の一実施例による無線基地局装置の再送制御判定処理を示すフローチャートである。
【図４】ＨＳＤＰＡを使用したマルチキャストのシステム構成を示すブロック図である。
【符号の説明】
【００４４】
１  無線基地局装置
１１  ＡＣＫ／ＮＡＣＫ受信部
１２  送信履歴管理部
１３  ＡＣＫ／ＮＡＣＫ集計部
１４  再送指数モード制御部
１５  再送回数管理部
１６  閾値テーブル
１７  閾値判定部
１８  再送判定部
１９  スケジューラ
【図１】
2007166233.tif 000003
【図２】
2007166233.tif 000004
【図３】
2007166233.tif 000005
【図４】
2007166233.tif 000006